(57)【要約】      （修正有）【課題】フリーアドレスオフィスの執務者が必要なものを好適に自席に運搬し、且つ執務の遂行を好適に促し得るバッグを提供する。【解決手段】肘掛けバッグＡは、椅子Ｃに設けられた肘Ｔの肘当てＴａに載置され得る上面部１と、所定の収納物を収納し得る収納要素たる外側収納要素２１を有し、前記上面部１を肘当てＴａに載置した際に外側収納要素２１を肘Ｔの外側に垂下させた外面部２と、所定の収納物を収納し得る他の収納要素たる内側収納要素３１を有し、上面部１を前記肘当てＴａに載置した状態で内側収納要素３１を肘Ｔの内側に垂下させた内面部３とを具備する。【選択図】図１
2011030927.tif 000002
【特許請求の範囲】
【請求項１】
椅子に設けられた肘の肘当てに載置され得る上面部と、
所定の収納物を収納し得る収納要素を有し、前記上面部を前記肘当てに載置した際に前記収納要素を前記肘の外側に垂下させた外面部と、
所定の収納物を収納し得る他の収納要素を有し、前記上面部を前記肘当てに載置した状態で前記他の収納要素を前記肘の内側に垂下させた内面部とを具備することを特徴とする肘掛けバッグ。
【請求項２】
前記上面部を前記肘当てに載置した際に、前記収納要素の全部又は一部が表出するものとしている請求項１記載の肘掛けバッグ。
【請求項３】
前記外面部と前記内面部とを連結する連結部をさらに具備し、
当該連結部と前記上面部との間に前記椅子の肘の一部を挿通させ得る肘挿通部を形成している請求項１又は２記載の肘掛けバッグ。
【請求項４】
前記外面部と前記内面部とを連結する連結部をさらに具備するとともに、前記上面部が前記肘当ての形状に追従し得る追従要素を有するものとし、
前記追従要素を湾曲させることにより、前記連結部を前記外面部と内面部とがそれぞれ有する収納要素を互いに対面させた状態で連結し得るものとしている請求項１、２又は３記載の肘掛けバッグ。
【請求項５】
前記外面部、前記上面部又は前記内面部に設けられ、使用者に把持させ得る把手をさらに具備するものである請求項１、２、３又は４記載の肘掛けバッグ。
【請求項６】
前記把手が、前記収納要素に収容された収容位置と、当該収納要素から外方へ突出して使用者に把持され得る使用位置とをとり得るものである請求項５記載の肘掛けバッグ。
【請求項７】
前記上面部が前記肘当ての形状に追従し得る追従要素と、
当該追従要素に取り付けられ前記肘当ての前後方向に延出するとともに前記肘当ての幅方向に前記外面部と内面部との間に間欠的に複数設けられた分離芯材とを有している請求項１、２、３、４、５又は６記載の肘掛けバッグ。
【請求項８】
前記外面部又は前記内面部が、当該外面部又は内面部の形状を保持し得る保形芯材を有している請求項１、２、３、４、５、６又は７記載の肘掛けバッグ。
【請求項９】
前記外面部が前記上面部から垂下する上下寸法を前記内面部が前記上面部から垂下する上下寸法よりも長く設定している請求項１、２、３、４、５、６、７又は８記載の肘掛けバッグ。
【請求項１０】
使用者に把持させ得る把手を更に具備するものとし、
当該把手を前記外面部に設けている請求項９記載の肘掛けバッグ。
【発明の詳細な説明】
【技術分野】
【０００１】
本発明は、フリーアドレスタイプのオフィスで好適に使用され得るバッグに関するものである。
【背景技術】
【０００２】
フリーアドレス形式のオフィスレイアウトを採用したフリーアドレスオフィス（例えば、下記非特許文献を参照）は、１９８０年代後半に始まったとされる。フリーアドレスオフィスでは、執務者個々人の自席を固定せず、誰でも自由に利用できるデスク及び椅子を配したカフェスタイルのフロアを構築する。
【０００３】
そしてこのようなフリーアドレスオフィスの場合、執務者は、必要書類やパーソナルコンピュータ等を予め勤務者に割り当てられたロッカー等から取り出し、それらをオフィス内に持参し、空いている席に着いて仕事をする。
【０００４】
つまり、このよう態様を想定すると、執務者がロッカー等から必要書類やパーソナルコンピュータ等を持ち出す場合は、これらを確実に執務者の近辺に位置付けることを重視すれば、特許文献１のような態様のバッグを採用することが考えられる。
【先行技術文献】
【特許文献】
【０００５】
【特許文献１】特開２００１−１０４０９３号公報
【非特許文献】
【０００６】
【非特許文献１】嶋村仁志、山田哲弥、杉山武、岩田美成、「研究執務スペースのフリーアドレス化に関する研究その１：折畳移動机を用いたフリーアドレス・オフィスのユーザー満足度評価による効果分析」、日本建築学会計画系論文集、社団法人日本建築学会、１９９８年７月３０日、Ｎｏ．５０９、ｐｐ．１２９−１３４
【非特許文献２】岩切一幸、毛利一平、外山みどり、野瀬かおり、落合孝則、城内博、斉藤進、「フリーアドレス形式オフィスレイアウトでのＶＤＴ作業者の姿勢および身体的疲労感」、産業衛生学雑誌、社団法人日本産業衛生学会、２００６年１月２０日、Ｖｏｌ．４８、ｐｐ．７−１４
【発明の概要】
【発明が解決しようとする課題】
【０００７】
しかしながら、フリーアドレスオフィスを使用する執務者が必要書類やパーソナルコンピュータ等、従来のオフィスであれば自席のデスクやワゴンに置いていたものをデスクまで持参するという点により着目するとすれば、執務者が持ち運ぶバッグは、上記特許文献に開示したようなものよりも、より多くの種類のものを収納するという点がまず想定される。
【０００８】
加えて、フリーアドレスオフィスでは持ち込んだ荷物をデスク近辺に収納し直すということをせずに、退席時には荷物を全て自席から持ち出すことを考えると、荷物の少なくとも一部はそのまま執務者自身の近辺に保持することが必要となる。すなわちこの点から、執務者が持ち運ぶバッグは、荷物を収納した状態でも執務者が執務し易いように保持しておくという機能が高く要求されるものと考えられる。
【０００９】
本発明は、このような点に着目したものであり、フリーアドレスオフィスの執務者が必要なものを好適に自席に運搬し、且つ執務の遂行を好適に促し得るバッグを提供することを目的としている。
【課題を解決するための手段】
【００１０】
本発明は、このような目的を達成するために、次のような手段を講じたものである。すなわち本発明に係る肘掛けバッグは、椅子に設けられた肘の肘当てに載置され得る上面部と、所定の収納物を収納し得る収納要素を有し、前記上面部を前記肘当てに載置した際に前記収納要素を前記肘の外側に垂下させた外面部と、所定の収納物を収納し得る他の収納要素を有し、前記上面部を前記肘当てに載置した状態で前記他の収納要素を前記肘の内側に垂下させた内面部とを具備することを特徴とする。
【００１１】
このようなものであれば、外面部と内面部とにそれぞれ収納要素を具備しているので、フリーアドレスオフィスを使用する執務者が必要書類やパーソナルコンピュータ等、従来のオフィスであれば自席のデスクやワゴンに置いていたものをデスクまで持参しようとする際に、執務者は、これまでよりも多くの量、並びに種類の荷物を収容することができる。そうすることにより執務者は、フリーアドレスオフィスへの荷物の持ち込み、並びに、退席時における荷物の持ち出しをスムーズに行なうことができる。そしてさらに、自席に荷物を持ち込んだ執務中においても執務者が執務を行ない易いように荷物を好適に執務者の近辺に保持しておくことが可能となる。
【００１２】
そして、執務者が収納要素に収納したものを好適に取り扱い易いものとするためには、上面部を肘当てに載置した際に、収納要素の全部又は一部が表出するものとしておくことが望ましい。
【００１３】
椅子の肘に対して好適に位置決めし得るものとするためには、外面部と内面部とを連結する連結部をさらに設け、当該連結部と上面部との間に肘の一部を挿通させ得る肘挿通部を形成しておくことが好ましい。
【００１４】
そして、当該肘掛けバッグをオフィスの外等に持ち出す際に使用者が好適に運搬し得るものとするためには、上面部が肘当ての形状に追従し得る追従要素を有するものとし、この追従要素を湾曲させることにより、連結部を外面部と内面部とがそれぞれ有する収納要素を互いに対面させた状態で連結し得るものとすることが好ましい。
【００１５】
そして、斯かる肘掛けバッグが好適に運搬し得る構成としては、外面部、上面部又は内面部に設けられ、使用者に把持させ得る把手をさらに設けておくことが望ましい。そして、肘掛けバッグを椅子の肘に取り付けた際に当該把手が執務の妨げとなることを有効に回避するためには、把手が、収納要素に収容された収容位置と、収納要素から外方へ突出して使用者に把持され得る使用位置とをとり得るものとすることが好ましい。
【００１６】
また、椅子の肘は椅子の種類によってＴ字肘、サークル肘、パネル肘といった種々の形状があり、そして肘自体のサイズ、特に幅寸法もそれぞれことなるものである。このような種々の形状・サイズを有する肘に対してそれぞれ好適に肘掛けバッグを取り付け得るものとするためには、上面部を肘当ての形状に追従し得る追従要素を有するものとすることが好ましい。特に、肘掛けバッグの形状自体は保持しつつ上記追従要素の作用を有効に担保しておくためには、追従要素に取り付けられ肘当ての前後方向に延出するとともに肘当ての幅方向に外面部と内面部との間に間欠的に複数設けられた分離芯材を設けることが好ましい。
【００１７】
他方、収納要素に収納したものが自重で肘から不自然に垂れ下がるなどにより、肘掛けバッグ自体の外形を崩してしまうという不具合を有効に回避するためには、外面部又は内面部に、当該外面部又は内面部の形状を保持し得る保形芯材を設けておくことが望ましい。
【００１８】
そして、椅子の肘に取り付けた状態で肘掛けバッグ自体の姿勢を安定させつつ、より多くの荷物を収納し得るものとするためには、外面部が上面部から垂下する上下寸法を内面部が上面部から垂下する上下寸法よりも長く設定して、内面部が座に干渉し難い構成として、外面部により大きな収納要素を設け得るものとおくことが望ましい。
【００１９】
そして外面部により大きな収納要素を設けた斯かる構成の場合、荷物を収納した状態で執務者が持ち運びし易い態様とするためには、把手を外面部に設けて、把手に直接外面部の収納要素の荷重が掛かるものとすることが好ましい。
【発明の効果】
【００２０】
本発明によれば、フリーアドレスオフィスを使用する執務者が必要書類やパーソナルコンピュータ等、従来のオフィスであれば自席のデスクやワゴンに置いていたものを好適に収容して、デスクまで持参することができる。そうすることにより執務者は、フリーアドレスオフィスへの荷物の持ち込み、並びに、退席時における荷物の持ち出しをスムーズに行なうことができる。そしてさらに、自席に荷物を持ち込んだ執務中においても執務者が執務を行ない易いように荷物を好適に執務者の近辺に保持し得るバッグを提供することができる。
【図面の簡単な説明】
【００２１】
【図１】本発明の第１実施形態に係る肘掛けバッグの外観図。
【図２】同肘掛けバッグの他の外観図。
【図３】同肘掛けバッグを展開した状態を示す平面図。
【図４】本発明の第２実施形態に係る肘掛けバッグの外観図。
【図５】同肘掛けバッグの他の外観図。
【図６】同肘掛けバッグを持ち歩く状態を示す説明図。
【図７】同肘掛けバッグを展開した状態を示す平面図。
【図８】同肘掛けバッグの模式的な断面を示す作用説明図。
【図９】同実施形態の変形例に係る作用説明図。
【発明を実施するための形態】
【００２２】
＜第１実施形態＞
本実施形態に係る肘掛けバッグＡは、例えば状況に応じて自席を自由に設定し得る、いわゆるフリーアドレスオフィスで執務を行なう執務者が、例えばパーソナルコンピュータ並びにその付属品や必要書類、そして筆記用具や執務者自身の備品を好適に収納した状態で使用し得るものである。本実施形態では一例として図１に示すような椅子Ｃの肘Ｔ、すなわち、縦フレームＴ１と水平フレームＴ２とを有し、水平フレームＴ２の上面側に肘当てＴａを設定している、いわゆるＴ字形の肘Ｔに取り付けて使用する状態を示している。また図２に示すように、この肘掛けバッグＡは折畳部２１５の箇所で２つに折り畳んでファスナＦを閉じた状態とすれば、把手２２ａ、２２ｂを持ってオフィスの内外を好適に持ち運びができるものとなっているので、執務者は、この肘掛けバッグＡに上記の荷物を収納した状態で例えば執務者個人に割り当てられたロッカーに格納しておき、オフィス内で執務を行なう時にのみオフィス内へ持ち込んで、好適に執務を行ない得るものとなっている。
【００２３】
ここで、本実施形態に係る肘掛けバッグＡは、椅子Ｃに設けられた肘Ｔの肘当てＴａに載置され得る上面部１と、所定の収納物を収納し得る収納要素たる外側収納要素２１を有し、上面部１を肘当てＴａに載置した際に外側収納要素２１を肘Ｔの外側に垂下させた外面部２と、所定の収納物を収納し得る他の収納要素たる内側収納要素３１を有し、上面部１を肘当てＴａに載置した状態で内側収納要素３１を肘Ｔの内側に垂下させた内面部３とを具備することを特徴とするものである。
【００２４】
以下、肘掛けバッグＡの構成について、図１乃至図３を参照して説明する。
【００２５】
本実施形態に係る肘掛けバッグＡは、例えばクッション性を有した厚手の合成繊維製の布材を適宜縫い合わせることによって主に構成されている。勿論、肘掛けバッグＡに用いる素材は上記のものに限られることはなく、帆布といった天然の素材や、皮革類を適用したり、肘掛けバッグＡ自体の外形を保持し得る他の面材を用いたりするなど、既存の鞄に適用し得る種々の素材を適用することが可能である
そしてこの肘掛けバッグＡは上述の通り、肘Ｔの肘当てＴａに載置され得る上面部１と、当該上面部１を肘当てＴａに載置した際に収納要素を肘Ｔの外側に表出させながら垂下させた外面部２と、上面部１を肘当てＴａに載置した状態で他の収納要素を肘Ｔの内側に表出させながら垂下させた内面部３を有することに加え、椅子Ｃの肘Ｔに上面部１を載置した状態で外面部２と内面部３とを連結し得る連結部４をさらに具備している。そしてこの肘掛けバッグＡは、図１及び図２に示すように、椅子Ｃの肘Ｔに取り付けた状態では、内面部３が上面部１から垂下する上下寸法を、肘当てＴａから座面近傍までの寸法に設定して内面部３が座につかえて執務者に干渉することを有効に回避しているとともに、外面部２の上下寸法を内面部３のそれよりも長く設定することによって、例えばＡ４判の書類やパーソナルコンピュータを外面部２に収容し得るようにしている。そして上述の通り図２に示すように、折畳部２１５によって当該肘掛けバッグaを折り畳むとともにファスナＦを閉じることにより、例えば２６０×３３０ｍｍの平面視概略矩形状をなした手さげバッグの形状となり、例えばノート型パーソナルコンピュータを収容して図示しないロッカー等の収納家具に収納したり、オフィス外を好適に持ち歩いたりすることが可能な状態となる。
【００２６】
上面部１は、上述の通り可撓性を有する素材を適用することによって、肘当てＴａの形状に追従し得る追従要素１１を主に有している。具体的には、折畳部２１５の位置で折り畳んだ状態における長手方向略中央に位置付けられている。そしてこの上面部１の長手寸法は、例えば約２６０ｍｍに設定するとともに、肘Ｔの幅寸法に対応する上面部１の短寸寸法を、種々の規格の肘Ｔに適用し得るよう、例えば１００ｍｍに設定している。
【００２７】
連結部４は、外面部２と内面部３とに、架け渡されることによって、外面部２と内面部３とが肘Ｔを内外から、そして当該連結部４と上面部１とが上下から挟み込んだ状態として、肘掛けバッグＡ自体と肘Ｔへの位置決めを好適に促し得るものである。当該連結部４は、具体的には、伸縮性を有する帯状体の両端を上面部を挟むように例えば１５０ｍｍ間隔で２本架け渡すことにより構成している。そうすることにより、図１及び図３に示すように、上面部１と連結部４との間に形成された肘挿通部５が肘Ｔの水平フレームＴ２を挿通させた状態で肘Ｔに好適に取り付け得るものとなっている。
【００２８】
外面部２は、使用者に把持させ得る把手２２ａ、２２ｂと、当該把手２２ａ、２２ｂ並びにパーソナルコンピュータや後述する種々の備品を収容し得る収納要素たる外側収納要素２１とを具備するものである。外側収納要素２１は、本実施形態では例えばノート型のパーソナルコンピュータを収納し得るＰＣ用ポケット２１１と、当該ＰＣ用ポケット２１１の内外にそれぞれ設けられた２つの把手用ポケット２１２ａ、２１２ｂと、最も外側に設けられ、例えばＡ４サイズの書類を好適に出し入れし得るように収納し得る書類用ポケット２１３と、当該書類用ポケットのさらに外側に設けられた名刺用ポケット２１４と、当該肘掛けバックＡを二つ折りとするための折畳部２１５とを有している。
【００２９】
そして本実施形態では図１に示すように、ＰＣ用ポケット２１１は肘Ｔに取り付けた状態では既に図示しないデスク等にノート型パーソナルコンピュータを載置していることを想定して肘Ｔに取り付けた状態では内方に面するように位置付けられる。そして、ＰＣ用ポケット２１１以外の把手用ポケット、２１２ａ，２１２ｂ、書類用ポケット２１３、名刺用ポケット２１４は外方に面するように位置付けられている。特に本実施形態では外面部の下端部に設けた名刺用ポケット２１４に名刺を挿入しておけば、フリーアドレスオフィスにおいて当該肘掛けバックＡを肘Ｔに取り付けた執務者が誰であるのかを明確に示すことができる。また把手２２ａ、２２ｂは、ボタン２２ａ２、２２ｂ２を留めることによって持ち易い状態としながら長手方向中央で把持され得る形状を有するとともに前記２つの把手用ポケット２１２ａ、２１２ｂにそれぞれ収納されているものである。そして把手２２ａ、２２ｂは、把手用ポケット２１２ａ、２１２ｂ内に隠れている付け根部分にバックル２２ａ１（図示せず），２２ｂ１を設け、当該バックル２２ａ１、２２ｂ１の位置で折り畳むことによって、把手２２ａ、２２ｂ全体が把手用ポケット２１２ａ、２１２ｂ内に嵩張らずに収容された収容位置と、把手用ポケット２１２ａ、２１２ｂから外方へ突出して使用者に把持され得る使用位置とをとり得るものとなっている。また本実施形態では、把手２２ａ、２２ｂについても厚手の合成樹脂により構成されたものとなっている。そして
また、この外面部２の寸法は、椅子Ｃの前後に亘る寸法が上面部１と同じく２６０ｍｍ、そして肘Ｔから垂下する寸法が４２０ｍｍに設定されており、ＰＣ用ポケット２１１は既存の殆どのノート型パーソナルコンピュータを好適に収納し得るものとなっており、ノート型パーソナルコンピュータ脱落しないように開口端付近に脱落防止ベルトを設けたものとなっている。また２つの把手２２ａ、２２ｂをこのＰＣ用ポケット２１１の開口端に位置付けた前記折畳部２１５の内外に設けることによって、肘掛けバッグＡに収納するもののうち、最も重いと思われるノート型パーソナルコンピュータを把手２２ａ、２２ｂから真っ直ぐに懸吊した状態で、安定した持ち運びが出来るものとなっている。なお持ち運ぶ状態では、当該把手用ポケット２１２ａ、２１２ｂには別途ボールペン等の筆記用具を収容してもよい。
【００３０】
内面部３は、上記上面部１、外面部２同様の素材を主体としてなるとともに、長手寸法についても上記上面部１、外面部２同様２６０ｍｍに設定している。そして本実施形態では、上面部１から垂下する上下寸法を、外面部２の上下寸法よりも短い寸法、具体的には１４０ｍｍに設定している。本実施形態では特に内面部３の上下寸法を１４０ｍｍに設定することにより、既存の肘Ｔ付きの椅子Ｃにおける肘当てＴａから座までの寸法よりも若干短い寸法として、当該内面部３の下端が座面に干渉したり、座に干渉することで内面部３が使用者側に迫り出したりしてしまうといった不具合を有効に回避し得るものとなっている。そして当該内面部３は、執務者が頻繁に使用するような備品を好適に収納し得る、本発明に係る他の収納要素に該当する内側収納要素３１を有している。内側収納要素３１は、執務者が頻繁に使用するような備品、特にノート型パーソナルコンピュータ用のＡＣアダプタ等の収納にそれぞれ適応し得るよう、２つの備品用ポケット３１０を有している。そして本実施形態では上記備品用ポケット３１０は、サイズが合致し得る他の備品を収納しても良いが、本実施形態ではそれぞれ上記寸法に設定しておくことで、ノート型パーソナルコンピュータの使用を想定した場合の付属品や備品の収納に好適に適合させたものとなっている。
【００３１】
以上のような構成とすることにより、本実施形態並びに変形例に係る肘掛けバッグＡは、外面部２と内面部３とにそれぞれ収納要素である外側収納要素２１並びに内側収納要素３１を設けることによって、執務者が必要書類やノート型パーソナルコンピュータ等、従来のオフィスであれば自席のデスクやワゴンに置いていたものを好適に運搬し得るものとなっている。そうすることにより執務者は、オフィスへの荷物の持ち込み、並びに、退席時における荷物の持ち出しをスムーズに行なうことができる。そしてさらに、自席に荷物を持ち込んだ執務中においても執務者が執務を行ない易いように荷物を好適に執務者の近辺に保持しておくことが可能なものとなっているので、特に自席が特定されていないフリーアドレスオフィスに好適に適用し得るものとなっている。
【００３２】
そして、上面部１を肘当てＴａに載置した際に、収納要素の全部又は一部が表出させることにより、執務者が収納要素に収納したものを好適に取り扱い得るものとなっている。
【００３３】
また本実施形態では、椅子Ｃの肘Ｔに対して好適に位置決めし得るものとするためには、外面部２と内面部３とを連結する連結部４をさらに設けることにより肘Ｔへの確実な取り付けを担保するとともに、当該連結部４と上面部１との間に肘挿通部５を設けることで、肘Ｔへの安定した取り付けや肘Ｔに対する好適な位置決めを実現したものとなっている。
【００３４】
そして本実施形態では、把手２２ａ、２２ｂを設けておくことで好適な持ち運びを担保するとともに、特に収納する備品の中で最も重いと思われるノート型のパーソナルコンピュータを収納し得るＰＣ用ポケット２１１の内外に把手２２ａ、２２ｂを２つ設けることによって、図２に示すような状態で把手２２ａ、２２ｂにより持ち運ぶ際にはパーソナルコンピュータを把手２２ａ、２２ｂの真下に位置付けて、安定した運搬を可能なものとしている。加えて、把手２２ａ、２２ｂが執務の妨げとなることを有効に回避するために本実施形態では、把手２２ａ、２２ｂが、把手用ポケット２１２ａ、２１２ｂに収容された収容位置と、収納要素から外方へ引き出して使用者に把持され得る使用位置とを好適にとり得るものとしている。
【００３５】
特に本実施形態では、主に可撓性を有した合成繊維を主体とすることにより、上面部１を肘当てＴａの形状に追従し得る追従要素１１を形成したものとして、図示したＴ字肘やＬ字型の肘といった、オフィスにおいて頻度の高い肘に好適に適応して、当該肘掛けバッグＡを確実に取り付け得るものとなっている。
【００３６】
そして本実施形態では、座に干渉されることがない肘Ｔの外側の領域で、より多くの荷物を収納するとともに内面部３が座に干渉し難いものとするため、外面部２の上下寸法を内面部３の上下寸法よりも長く設定したものとしている。加えて、外面部２に最も大きなＰＣ用ポケット２１１を設けた本実施形態の場合、荷物を収納した状態で執務者が持ち運びし易い態様とするため、把手２２ａ、２２ｂを外面部２側に、具体的には折畳部２１５近傍の２箇所に設けて、ＰＣ用ポケット２１１に収納したパーソナルコンピュータを安定して持ち運びし得るものとなっている。
【００３７】
＜第２実施形態＞
続いて、本発明の第２実施形態について図面を参照して説明するが、上記第１実施形態における構成要素に相当する構成要素については同じ符号を付すものとする。
【００３８】
本実施形態に係る肘掛けバッグＡについても、上記実施形態同様に、例えば状況に応じて自席を自由に設定し得る、いわゆるフリーアドレスオフィスで執務を行なう執務者が、例えばパーソナルコンピュータ並びにその付属品や必要書類、そして筆記用具や執務者自身の備品を好適に収納した状態で使用し得るものである。本実施形態では一例として図４及び図５に示すような椅子Ｃの肘Ｔ、すなわち、縦フレームＴ１と水平フレームＴ２とを有し、水平フレームＴ２の上面側に肘当てＴａを設定している、いわゆるＴ字形の肘Ｔに取り付けて使用する状態を示している。また図６に示すように、この肘掛けバッグＡは把手２２ａ、２２ｂを持ってオフィスの内外を好適に持ち運びができるものとなっているので、執務者は、この肘掛けバッグＡに上記の荷物を収納した状態で例えば執務者個人に割り当てられたロッカーに格納しておき、オフィス内で執務を行なう時にのみオフィス内へ持ち込んで、好適に執務を行ない得るものとなっている。
【００３９】
ここで、本実施形態に係る肘掛けバッグＡは上記実施形態同様に、椅子Ｃに設けられた肘Ｔの肘当てＴａに載置され得る上面部１と、所定の収納物を収納し得る収納要素たる外側収納要素２１を有し、上面部１を肘当てＴａに載置した際に外側収納要素２１を肘Ｔの外側に垂下させた外面部２と、所定の収納物を収納し得る他の収納要素たる内側収納要素３１を有し、上面部１を肘当てＴａに載置した状態で内側収納要素３１を肘Ｔの内側に垂下させた内面部３とを具備することを特徴とするものである。なお図６においては、上面部１並びに外面部２の一部を破断して示すことにより、把手２２ａ、２２ｂの一部を露出させて図示している。
【００４０】
以下、本発明の第２実施形態に係る肘掛けバッグＡの構成について、図４乃至図８を参照して説明する。
【００４１】
本実施形態に係る肘掛けバッグＡは、例えば厚手の布材を適宜縫い合わせるとともに布材間に適宜樹脂等の面材を内蔵させることによって主に構成されている。勿論、肘掛けバッグＡに用いる素材は上記のものに限られることはなく、可撓性を有する樹脂や、皮革類を適用したり、面材には肘掛けバッグＡ自体の外形を保持し得る他の素材を用いたりするなど、既存の鞄に適用し得る種々の素材を適用することが可能である
そしてこの肘掛けバッグＡは上述の通り、肘Ｔの肘当てＴａに載置され得る上面部１と、当該上面部１を肘当てＴａに載置した際に収納要素を肘Ｔの外側に表出させながら垂下させた外面部２と、上面部１を肘当てＴａに載置した状態で他の収納要素を肘Ｔの内側に表出させながら垂下させた内面部３を有することに加え、椅子Ｃの肘Ｔに上面部１を載置した状態で外面部２と内面部３とを連結し得る連結部４をさらに具備している。そしてこの肘掛けバッグＡは、図４及び図５に示すように、椅子Ｃの肘Ｔに取り付けた状態では、内面部３が上面部１から垂下する上下寸法を、肘当てＴａから座面近傍までの寸法に設定して内面部３が座につかえて執務者に干渉することを有効に回避しているとともに、外面部２の上下寸法を内面部３のそれよりも長く設定することによって、例えばＡ４判の書類やパーソナルコンピュータを外面部２に収容し得るようにしている。そして図６に示すように、外面部２の上下寸法を、具体的には、内面部３の上下寸法と上面部１の幅寸法との和に略等しく設定しているので、持ち運びの際に外面部２の下端と内面部３の下端とが略揃った状態となるように設定している。
【００４２】
上面部１は、上述の通り可撓性を有する素材を適用することによって、肘当てＴａの形状に追従し得る追従要素１１と、外面部２と内面部３との間に間欠的に複数設けられた概略棒状の芯材からなる分離芯材１２とを有している。そしてこの上面部１の長手寸法は、例えば約３７０ｍｍに設定するとともに、肘Ｔの幅寸法に対応する上面部１の短寸寸法を、種々の規格の肘Ｔに適用し得るよう、例えば９５ｍｍに設定している。
【００４３】
外面部２は、使用者に把持させ得る把手２２ａ、２２ｂと、当該把手２２ａ、２２ｂ並びにパーソナルコンピュータや後述する種々の備品を収容し得る収納要素たる外側収納要素２１と、当該外面部２自体の形状を保持するための保形芯材たる外面芯材２３とを具備するものである。外側収納要素２１は、本実施形態では例えばノート型のパーソナルコンピュータを収納し得るＰＣ用ポケット２１１と、当該ＰＣ用ポケット２１１の内外にそれぞれ設けられた２つの把手用ポケット２１２ａ、２１２ｂと、最も外側に設けられ、例えばＡ４サイズの書類を好適に出し入れし得るように収納し得る書類用ポケット２１３とを有している。把手２２ａ、２２ｂは、長手方向中央で把持され得る形状を有するとともに前記２つの把手用ポケット２１２ａ、２１２ｂにそれぞれ収納されているものである。把手２２ａ、２２ｂは、把手用ポケット２１２ａ、２１２ｂ内をスライド移動させることによって、把手２２ａ、２２ｂ全体が把手用ポケット２１２ａ、２１２ｂ内に収容された収容位置（Ｐ）と、長手方向中央部が把手用ポケット２１２ａ、２１２ｂから外方へ突出して使用者に把持され得る使用位置（Ｑ）とをとり得るものとなっている。また本実施形態では、把手２２ａ、２２ｂについても他の構成要素と同じく厚手の布材により構成されるとともに、図示しないが把手２２ａ、２２ｂ自体の形状を保持するために芯材を内蔵したものとなっている。そして外面芯材２３は、本実施形態ではＰＣ用ポケット２１１の外側に内蔵される態様で設けられており、斯かる位置に設けられることにより、書類用ポケット２１３やＰＣ用ポケット２１１に収容されたものや外面部２自体の自重によって書類用ポケット２１３が撓んで外側に垂れ下がり、外面部２自体の形状が崩れてしまうことを有効に回避し得たものとなっている。
【００４４】
また、この外面部２の寸法は、上面部１から垂下する上下寸法が２５５ｍｍ、椅子Ｃの前後に亘る長手寸法が上面部１と同じく３７０ｍｍ、そして厚み寸法が６０ｍｍに設定されており、特に厚み寸法の大部分をＰＣ用ポケット２１１の厚み寸法として設定することにより、当該ＰＣ用ポケット２１１は既存の殆どのノート型パーソナルコンピュータを好適に収納し得るものとなっている。また２つの把手２２ａ、２２ｂをこのＰＣ用ポケット２１１の内外に設けることによって、肘掛けバッグＡに収納するもののうち、最も重いと思われるノート型パーソナルコンピュータを把手２２ａ、２２ｂから真っ直ぐに懸吊した状態で、図６に示すように安定した持ち運びが出来るものとなっている。
【００４５】
内面部３は、上記上面部１、外面部２同様に厚手の布材を主体としてなるとともに、長手寸法についても上記上面部１、外面部２同様３７０ｍｍに設定している。そして本実施形態では、上面部１から垂下する上下寸法を、外面部２の上下寸法よりも短い寸法、具体的には１６０ｍｍに設定している。本実施形態では特に内面部３の上下寸法を１６０ｍｍに設定することにより、既存の肘Ｔ付きの椅子Ｃにおける肘当てＴａから座までの寸法よりも若干短い寸法として、当該内面部３の下端が座面に干渉したり、座に干渉することで内面部３が使用者側に迫り出したりしてしまうといった不具合を有効に回避し得るものとなっている。そして当該内面部３は、執務者が頻繁に使用するような備品を好適に収納し得る、本発明に係る他の収納要素に該当する内側収納要素３１と、当該内面部３自体の形状を保持し得る保形芯材たる内面芯材３３とを有したものである。内側収納要素３１は、執務者が頻繁に使用するような備品にそれぞれ適応し得るよう、携帯電話用ポケット３１１ａと、デジタルカメラ用ポケット３１１ｂと、マウス用ポケット３１１ｃと、ペンホルダ３１２とを有している。そして本実施形態では、携帯電話用ポケット３１１ａの寸法を、幅寸法６０ｍｍ、上下寸法１５０ｍｍ、厚み寸法２０ｍｍに設定している。またデジタルカメラ用ポケット３１１ｂの寸法を、７０ｍｍ、上下寸法１５０ｍｍ、厚み寸法２０ｍｍに設定している。そしてマウス用ポケット３１１ｃの寸法を、幅寸法１４０ｍｍ、上下寸法１５０ｍｍ、厚み寸法２０ｍｍに設定している。勿論、上記携帯電話用ポケット３１１ａ、デジタルカメラ用ポケット３１１ｂ及びマウス用ポケット３１１ｃは、サイズが合致し得る他の備品を収納しても良いが、本実施形態ではそれぞれ上記寸法に設定しておくことで、該当する既存の備品を好適に収納し得るものとなっている。そしてこれらポケット３１１ａ、３１１ｂ、３１１ｃの厚み寸法を２０ｍｍに抑えることにより、当該ポケット３１１ａ、３１１ｂ、３１１ｃが執務者に干渉することを有効に回避している。またペンホルダ３１２は、本実施形態では、マウス用ポケット３１１ｃの隣の位置に、帯状の布を間欠的に縫い付けることによって、縫い付けた箇所の間に種々の筆記具を挿通させた状態で保持し得る既存の態様をなしたものであるが、勿論当該ペンホルダ３１２の態様を、ポケット状のものとしたり、蓋を設けたりする等、既存の種々の態様を適用することが可能である。
【００４６】
連結部４は、外面部２と内面部３の長手方向の両端同士を連結することによって、外面部２と内面部３とが肘Ｔを内外から挟み込んだ状態として、肘掛けバッグＡ自体と肘Ｔへの位置決めを好適に促し得るものである。当該連結部４は、外面部２の長手方向両端に縫い付けた外側片４１と、内面部３の長手方向両端に設けた内側片４２とを有し、これら外側片４１、内側片４２に設けたボタン４１ａ、４２ａを留めることによって、外面部２と内面部３とを連結するものである。そして本実施形態では、上述の連結部４を上面部１から離間させて形成することによって、本実施形態では肘Ｔの水平フレームＴ２を挿通させ得る開口である肘挿通部５を形成している。そうすることにより、図４及び図５に示すように、当該肘挿通部５が肘Ｔの水平フレームＴ２を挿通させた状態で肘Ｔに取り付け得るものとなっている。
【００４７】
加えて、本実施形態に係る肘掛けバッグＡは、特に展開図である図７に破線で示すように、面材である分離芯材１２、外面芯材２３及び内面芯材３３を略連続させるように設けることによって、上面部１、外面部２及び内面部３の略全域に亘って面材を設けたものとなっている。このような構成により、当該肘掛けバッグＡは、図７のように肘掛けバッグＡを展開した状態で、詳細には上面部１を若干曲げる等すれば、デスクの天板上に立て置くことで、簡易間仕切りとして使用することも可能である。
【００４８】
しかして本実施形態に係る肘掛けバッグＡは、図８（ａ）及び（ｂ）に示すように、上面部１に複数の分離芯材１２を設けることにより、且つ外面部２及び内面部３が真っ直ぐ垂下した状態を維持しながら、取り付ける椅子Ｃの肘Ｔの幅寸法に追従させ得るものとしている。図８（ａ）に示すように、肘当てＴａの幅寸法が比較的狭いものである場合には、端部に位置付けられた分離芯材１２のうちの複数が肘当てＴａから適宜垂れ下がることによって、正確に肘Ｔの形状に追従し得るものとなっている。他方、同図（ｂ）に示すように、比較的幅が広い肘Ｔに取り付けた場合には、図示では両端の分離芯材１２のみが肘Ｔ掛けの両端に追従するように垂れ下がることにより、やはり肘Ｔの形状に正確に追従し得るものとなっている。なお、同図に破線で図示している連結部４は、奥行き方向に適宜撓みながら外面部２と内面部３とを連結した状態を維持している。
＜変形例＞
続いて、本実施形態の変形例として図９に示す態様を挙げることができる。なお本変形例において上記実施形態と同じ構成要素に対しては同じ符号を付して具体的な説明を省略する。
【００４９】
具体的に説明すると、当該図９に示す変形例のように、肘掛けバッグＡを椅子Ｃの肘Ｔに取り付ける向きとは反対側に上面部１を折り返して湾曲させた状態で持ち運びを行ない得るものとしてもよい。すなわち、連結部４を外面部２と内面部３とがそれぞれ有する収納要素を互いに対面させた状態で連結して、収納要素を完全に被覆するという態様をとり得るものとしてもよい、この場合、同図のように、上面部１における分離芯材１２の間に適宜スリット１１ｓを設けることにより、把手２２ａ、２２ｂが破線で示すように上面部１を挿通し得る状態として、好適にオフィス外等への持ち運びが可能なように構成することが望ましい。
【００５０】
以上のような構成とすることにより、本実施形態並びに変形例に係る肘掛けバッグＡは、外面部２と内面部３とにそれぞれ収納要素である外側収納要素２１並びに内側収納要素３１を設けることによって、上記実施形態と同様に、執務者が必要書類やパーソナルコンピュータ等、従来のオフィスであれば自席のデスクやワゴンに置いていたものを好適に運搬し得るものとなっている。そうすることにより執務者は、オフィスへの荷物の持ち込み、並びに、退席時における荷物の持ち出しをスムーズに行なうことができる。そしてさらに、自席に荷物を持ち込んだ執務中においても執務者が執務を行ない易いように荷物を好適に執務者の近辺に保持しておくことが可能なものとなっているので、特に自席が特定されていないフリーアドレスオフィスに好適に適用し得るものとなっている。
【００５１】
そして、上面部１を肘当てＴａに載置した際に、収納要素の全部又は一部が表出させることにより、執務者が収納要素に収納したものを好適に取り扱い得るものとなっている。
【００５２】
また本実施形態では、椅子Ｃの肘Ｔに対して好適に位置決めし得るものとするためには、外面部２と内面部３とを連結する連結部４をさらに設けることにより肘Ｔへの確実な取り付けを担保するとともに、当該連結部４と上面部１との間に肘挿通部５を設けることで、肘Ｔへの安定した取り付けや肘Ｔに対する好適な位置決めを実現したものとなっている。
【００５３】
そして本実施形態では、把手２２ａ、２２ｂを設けておくことで好適な持ち運びを担保するとともに、特に収納する備品の中で最も重いと思われるノート型のパーソナルコンピュータを収納し得るＰＣ用ポケット２１１の内外に把手２２ａ、２２ｂを２つ設けることによって、図６のように把手２２ａ、２２ｂにより持ち運ぶ際にはパーソナルコンピュータを把手２２ａ、２２ｂの真下に位置付けて、安定した運搬を可能なものとしている。加えて、把手２２ａ、２２ｂが執務の妨げとなることを有効に回避するために本実施形態では、把手２２ａ、２２ｂが、把手用ポケット２１２ａ、２１２ｂに収容された収容位置（Ｐ）と、収納要素から外方へスライドにより突出させて使用者に把持され得る使用位置（Ｑ）とをとり得るものとしている。
【００５４】
特に本実施形態では、上面部１を肘当てＴａの形状に追従し得る追従要素１１を有するものとして、図示したＴ字肘Ｔのみならず、サークル肘、パネル肘といった種々の形状や、特に肘Ｔごとに異なる幅寸法に好適に適応して、当該肘掛けバッグＡを確実に取り付け得るものとなっている。さらに本実施形態では分離芯材１２を設けることにより、上記追従要素１１の作用を有効に担保しながらも、肘掛けバッグＡの形状自体は有効に保持され得るものとなっている。
【００５５】
他方本実施形態では外面部２及び内面部３自体を保形し得る保形芯材たる外面芯材２３及び内面芯材３３を設けることにより、外側収納要素２１並びに内側収納要素３１に収納したものが自重で肘Ｔから不自然に垂れ下がり、肘掛けバッグＡ自体の外形が崩れてしまうという不具合を有効に回避し得たものとなっている。
【００５６】
そして本実施形態では、座に干渉されることがない肘Ｔの外側の領域で、より多くの荷物を収納するとともに内面部３が座に干渉し難いものとするため、外面部２の上下寸法を内面部３の上下寸法よりも長く設定したものとしている。加えて、外面部２に最も大きなＰＣ用ポケット２１１を設けた本実施形態の場合、荷物を収納した状態で執務者が持ち運びし易い態様とするため、把手２２ａ、２２ｂを外面部２側に、具体的にはＰＣ用ポケット２１１の両側である２箇所に設けて、ＰＣ用ポケット２１１に収納したパーソナルコンピュータを安定して持ち運びし得るものとなっている。
【００５７】
以上、本発明の実施形態について説明したが、各部の具体的な構成は、上述した実施形態のみに限定されるものではなく、本発明の趣旨を逸脱しない範囲で種々変形が可能である。
【００５８】
例えば、上記実施形態では収納要素が肘の外側、内側にそれぞれ表出した態様を開示したが、勿論、収納要素の一部のみが表出したものであってもよい。そして第１実施形態では折畳部により２つ折りにして持ち運びし得る態様を開示したが、勿論、三つ折りや、他の態様の折り畳みなど、既存の種々の態様を採用することができる。また肘掛けバッグの外形や素材の具体的な態様は上記実施形態のものに限定されることはなく、既存のものを含め、種々の態様のものを適用することができる。
【００５９】
その他、各部の具体的構成についても上記実施形態に限られるものではなく、本発明の趣旨を逸脱しない範囲で種々変形が可能である。
【符号の説明】
【００６０】
Ａ…肘掛けバッグ
１…上面部
１２…分離芯材
２…外面部
２１…収納要素（外側収納要素）
２２ａ、２２ｂ…把手
２３…保形芯材（外面芯材）
３…内面部
３１…他の収納要素（内側収納要素）
３３…保形芯材（内面芯材）
４…連結部
５…肘挿通部
Ｃ…椅子
Ｔ…肘
Ｔａ…肘当て
Ｐ…収容位置
Ｑ…使用位置
【図１】
2011030927.tif 000003
【図２】
2011030927.tif 000004
【図３】
2011030927.tif 000005
【図４】
2011030927.tif 000006
【図５】
2011030927.tif 000007
【図６】
2011030927.tif 000008
【図７】
2011030927.tif 000009
【図８】
2011030927.tif 000010
【図９】
2011030927.tif 000011